(57)【特許請求の範囲】
【請求項１】
口頸部２を起立する容器体Ａと、
上記口頸部外面へ嵌合させた外周壁５上端に付設した内向きフランジ状頂壁６上面から保持筒７を起立し、該保持筒の下部内面から内周壁７ａを垂下して、該内周壁を口頸部内壁面へ水密に嵌合させると共に、保持筒７の下方前部外面から第１係合突部８ｂを前方突設した装着筒Ｂと、
上記保持筒７上端へ載置させた鍔状頂壁９上面からキャップ嵌合筒１０を起立し、該嵌合筒の下部内面から保持筒７内壁面へ水密に接して下端面１１を前部が高い傾斜状にした吊持ち筒部１２を垂下し、該吊持ち筒部下端に後部を開口１４する内向きフランジ１３を付設して、該内向きフランジ内周から後面および上面開放の樋状注出部１５を、キャップ嵌合筒１０よりも高く起立し、更に鍔状頂壁９外周から垂下して、保持筒７上部を囲成する囲成筒１６の下方前部外面から突設した支持片１７を介して囲成筒１６前方から下方へ垂下する操作レバー１８を吊持ちさせ、該操作レバーの上部を操作部１９に形成すると共に、下部から第２係合突部２０を後方突設した注出部材Ｃと、
上記吊持ち筒部１２の下部内面へ、頂板２２外周から垂設した周壁２３下部外面を水密に嵌合させると共に、周壁外面に付設した外向きフランジ２４を上記保持筒７上端へ載置させ、かつ該外向きフランジ外周から垂下した外筒２５を上記キャップ嵌合筒１０外面へ螺合させた計量カップＤとを有し、
上記囲成筒１６の下方後部を肉薄ヒンジ２１を介して上記外周壁５の上方後部に連結すると共に、上記操作レバー１８の第２係合突部２０上面を上記第１係合突部８ｂ下面へ前方に離脱可能に係合させ、
上記注出部材Ｃは、操作レバー１８の第２係合突部２０上面が第１係合突部８ｂ下面へ係合して、樋状注出部１５が口頸部２上方に位置する注出位置と、操作レバーの操作部１９を後方へ押すことで第２係合突部２０が第１係合突部８ｂから前方へ離脱して、樋状注出部１５が口頸部の後方に位置する詰替え位置とを有する、
ことを特徴とする液体注出容器。
【請求項２】
上記第１係合突部８ｂを、筒下端を上記内向きフランジ状頂壁６上面へ当接させて、上記保持筒７外面へ嵌合させた嵌合筒８ａを介して上記保持筒７から前方突設させて係合部材８を形成し、更に上記外周壁５の上方後部から起立した起立板５ａ上端部を、上記肉薄ヒンジ２１を介して上記囲成筒１６の下方後部へ連結した、
ことを特徴とする請求項１記載の液体注出容器。
【請求項３】
口頸部２を起立する容器体Ａと、
上記口頸部外面へ嵌合させた外周壁５上端に付設した内向きフランジ状頂壁６上面から保持筒７を起立し、該保持筒の下部内面から内周壁７ａを垂下して、該内周壁を口頸部内壁面へ水密に嵌合させると共に、外周壁５の前部外面から係合ピン３０を突設した装着筒Ｂと、
上記保持筒７上端へ載置させた鍔状頂壁９上面からキャップ嵌合筒１０を起立し、該嵌合筒の下部内面から保持筒７内壁面へ水密に接して下端面１１を前部が高い傾斜状にした吊持ち筒部１２を垂下し、該吊持ち筒部下端に後部を開口１４する内向きフランジ１３を付設して、該内向きフランジ内周から後面および上面開放の樋状注出部１５を、キャップ嵌合筒１０よりも高く起立し、更に鍔状頂壁９外周から垂下して、保持筒７上部を囲成する囲成筒１６の下方前部外面から弾性操作板３１を上記外周壁５よりも下方へ長く垂設して、該弾性操作板に係合ピン挿通孔３３を穿設した注出部材Ｃと、
上記吊持ち筒部１２の下部内面へ、頂板２２外周から垂設した周壁２３下部外面を水密に嵌合させると共に、周壁２３外面に付設した外向きフランジ２４を上記保持筒７上端へ載置させ、かつ該外向きフランジ外周から垂下した外筒２５を上記キャップ嵌合筒１０外面へ螺合させた計量カップＤとを有し、
上記囲成筒１６の下方後部を肉薄ヒンジ２１を介して上記外周壁５の上方後部へ連結させると共に、上記係合ピン３０を弾性操作板３１の係合ピン挿通孔３３へ挿通させ、
上記注出部材Ｃは、係合ピン３０を係合ピン挿通孔３３へ挿通させて、樋状注出部１５を口頸部２上方へ位置させた注出位置と、弾性操作板３１の前方引寄せで係合ピン挿通孔３３から係合ピン３０を離脱させて、樋状注出部１５を口頸部２後方へ位置させた詰替え位置とを有する、
ことを特徴とする液体注出容器。
【発明の詳細な説明】
【０００１】
【発明の属する技術分野】
本発明は洗剤等の液体が入った容器体の口頸部に注出部を装着した液体注出容器に関する。
【０００２】
【従来の技術】
例えば、実開昭６２−９９５４１号が示すように、容器体の口頸部上端から第１内向きフランジを介して吊下げ筒部を垂下すると共に、該筒部下端に付設した第２内向きフランジ内周から注出筒を容器体口頸部よりも高く起立し、また、吊下げ筒部の上端部内面へ、頂板部外周から垂下する側壁部を嵌合させると共に、該側壁部に付設した環状肩部を第１内向きフランジ上へ載置させ、さらに、頂板部の中央部から筒内へ注出筒を挿入させて筒状の計量壁部を垂下する計量カップが知られている。
また、特開昭６２−１９３９６２号が示すように、ねじ切りされた外部ねじ山を伴った首部を有する中空プラスチック容器と、取付部材と、取付部材と首部との間の相互係合手段とを含む包装中で使用するための液体を収容及び分配する密閉部材と取付部材において、取付部材は内壁部分を有し、内壁部分は注入リップを画定しており、注入リップは首部内から該首部の端部を越えて軸方向へ延在し、取付部材は内壁部に接続された環状外壁部を備えており、カップ状密閉部材が頂壁及び頂壁から延在する周辺壁部を含み、周辺壁部は取付部材の外壁部内を軸方向内方に延在しており、密閉部材は環状外壁部を備え、環状外壁部は内部ねじ山を有し、内部ねじ山は容器の首部上の外部ねじ山と係合しており、シールを画定するために容器の首部と係合する取付部材上の手段と、密閉部材と取付部材との間にあってシールを画定する手段とを含む、液体を収容及び分配する包装が知られている。
【０００３】
【発明が解決しようとする課題】
詰替え容器の液体を容器体に詰め替える場合、詰替え容器の注出口を容器体口頸部に臨ませるのが通常であるが、上記公知例の前者では注出筒を、また後者では注入リップを、それぞれ容器体口頸部上端よりも高く起立しているので、詰替え用容器の注出口を容器体口頸部上端へ近接させて臨ませることが困難である。このため詰替え時に注出筒や注入リップを容器体から取り外せるようにすることが望まれる。
しかし、公知例の前者では、注出筒を起立する吊下げ筒部が容器本体と一体であるから、注出筒の取外しは不可能である。他方、公知例の後者では、注入リップを有する取付部材と容器の首部とは別体であるが、取付部材の環状外壁部の外周端が容器の首部上端へ巻締めにより嵌合されているため、容器の首部から環状外壁部を取り外すことは不可能ではないにしても頗る困難である。
【０００４】
請求項１乃至３記載の発明に係る液体注出容器は、詰替え時に注出部材を口頸部の外方へ位置させて、詰替えを容易にしようとするものである。
【０００５】
【課題を解決するための手段】
第１の手段として、口頸部２を起立する容器体Ａと、
上記口頸部外面へ嵌合させた外周壁５上端に付設した内向きフランジ状頂壁６上面から保持筒７を起立し、該保持筒の下部内面から内周壁７ａを垂下して、該内周壁を口頸部内壁面へ水密に嵌合させると共に、保持筒７の下方前部外面から第１係合突部８ｂを前方突設した装着筒Ｂと、
上記保持筒７上端へ載置させた鍔状頂壁９上面からキャップ嵌合筒１０を起立し、該嵌合筒の下部内面から保持筒７内壁面へ水密に接して下端面１１を前部が高い傾斜状にした吊持ち筒部１２を垂下し、該吊持ち筒部下端に後部を開口１４する内向きフランジ１３を付設して、該内向きフランジ内周から後面および上面開放の樋状注出部１５を、キャップ嵌合筒１０よりも高く起立し、更に鍔状頂壁９外周から垂下して、保持筒７上部を囲成する囲成筒１６の下方前部外面から突設した支持片１７を介して囲成筒１６前方から下方へ垂下する操作レバー１８を吊持ちさせ、該操作レバーの上部を操作部１９に形成すると共に、下部から第２係合突部２０を後方突設した注出部材Ｃと、
上記吊持ち筒部１２の下部内面へ、頂板２２外周から垂設した周壁２３下部外面を水密に嵌合させると共に、周壁外面に付設した外向きフランジ２４を上記保持筒７上端へ載置させ、かつ該外向きフランジ外周から垂下した外筒２５を上記キャップ嵌合筒１０外面へ螺合させた計量カップＤとを有し、
上記囲成筒１６の下方後部を肉薄ヒンジ２１を介して上記外周壁５の上方後部に連結すると共に、上記操作レバー１８の第２係合突部２０上面を上記第１係合突部８ｂ下面へ前方に離脱可能に係合させ、
上記注出部材Ｃは、操作レバー１８の第２係合突部２０上面が第１係合突部８ｂ下面へ係合して、樋状注出部１５が口頸部２上方に位置する注出位置と、操作レバーの操作部１９を後方へ押すことで第２係合突部２０が第１係合突部８ｂから前方へ離脱して、樋状注出部１５が口頸部の後方に位置する詰替え位置とを有する。
【０００６】
第２の手段として、上記第１の手段を有すると共に、上記第１係合突部８ｂを、筒下端を上記内向きフランジ状頂壁６上面へ当接させて、上記保持筒７外面へ嵌合させた嵌合筒８ａを介して上記保持筒７から前方突設させて係合部材８を形成し、更に上記外周壁５の上方後部から起立した起立板５ａ上端部を、上記肉薄ヒンジ２１を介して上記囲成筒１６の下方後部へ連結した。
【０００７】
第３の手段として、口頸部２を起立する容器体Ａと、
上記口頸部外面へ嵌合させた外周壁５上端に付設した内向きフランジ状頂壁６上面から保持筒７を起立し、該保持筒の下部内面から内周壁７ａを垂下して、該内周壁を口頸部内壁面へ水密に嵌合させると共に、外周壁５の前部外面から係合ピン３０を突設した装着筒Ｂと、
上記保持筒７上端へ載置させた鍔状頂壁９上面からキャップ嵌合筒１０を起立し、該嵌合筒の下部内面から保持筒７内壁面へ水密に接して下端面１１を前部が高い傾斜状にした吊持ち筒部１２を垂下し、該吊持ち筒部下端に後部を開口１４する内向きフランジ１３を付設して、該内向きフランジ内周から後面および上面開放の樋状注出部１５を、キャップ嵌合筒１０よりも高く起立し、更に鍔状頂壁９外周から垂下して、保持筒７上部を囲成する囲成筒１６の下方前部外面から弾性操作板３１を上記外周壁５よりも下方へ長く垂設して、該弾性操作板に係合ピン挿通孔３３を穿設した注出部材Ｃと、
上記吊持ち筒部１２の下部内面へ、頂板２２外周から垂設した周壁２３下部外面を水密に嵌合させると共に、周壁２３外面に付設した外向きフランジ２４を上記保持筒７上端へ載置させ、かつ該外向きフランジ外周から垂下した外筒２５を上記キャップ嵌合筒１０外面へ螺合させた計量カップＤとを有し、
上記囲成筒１６の下方後部を肉薄ヒンジ２１を介して上記外周壁５の上方後部へ連結させると共に、上記係合ピン３０を弾性操作板３１の係合ピン挿通孔３３へ挿通させ、
上記注出部材Ｃは、係合ピン３０を係合ピン挿通孔３３へ挿通させて、樋状注出部１５を口頸部２上方へ位置させた注出位置と、弾性操作板３１の前方引寄せで係合ピン挿通孔３３から係合ピン３０を離脱させて、樋状注出部１５を口頸部２後方へ位置させた詰替え位置とを有する。
【０００８】
【発明の実施の形態】
図１及び図２は本発明に係る液体注出容器の第１の実施形態を示すもので、容器体、装着筒、注出部材及び計量カップを主要部材とする。
Ａは容器体で、胴部１の上端から口頸部２を起立して、該口頸部下部外面に嵌合突条３を周設すると共に、該嵌合突条より上方部分外面に複数の第１係合突条４を縦設する。
【０００９】
Ｂは装着筒で、口頸部２外面へ嵌合させた外周壁５の下端部内面に嵌合溝を周設して、該嵌合溝へ嵌合突条３を嵌合させる。
この外周壁５上端に内向きフランジ状頂壁６を付設して、この頂壁６の内周部上面から保持筒７を起立し、保持筒７の下端部内面から内周壁７ａを垂下して、内周壁７ａを口頸部２の上端部内壁面へ水密に嵌合させる。
【００１０】
なお、８は係合部材で、請求項２記載のように、筒下端を内向きフランジ状頂壁６上面へ当接させて保持筒７外面へ嵌合筒８ａを嵌合させ、この嵌合筒８ａ前部の上下方向中間部から、上面を傾斜面、かつ下面を水平面とする縦断面形状が三角形状の第１係合突部８ｂを前方突設する。
この第１係合突部８ｂより上方嵌合筒部分に複数の第２係合突条８ｃを縦設する。
【００１１】
嵌合筒８ａは省略することも可能で、この場合には第１係合突部８ｂを保持筒７から直接突設する。
また、請求項２記載のように、外周壁５後部の上端から起立板５ａを起立する。
さらに、外周壁５内面に複数の第２係合突条を縦設して、これら第２係合突条を第１係合突条４へ係合させる。
【００１２】
Ｃは注出部材で、保持筒７上端へ鍔状頂壁９の内周部を載置させ、かつ鍔状頂壁９の内周部上面からキャップ嵌合筒１０を起立する。キャップ嵌合筒１０外面には雄ねじを形成する。
このキャップ嵌合筒１０の下端部内面から保持筒７の上部内壁面へ水密に接触させて下端面１１を前部が高い傾斜状にした吊持ち筒部１２を垂下し、吊持ち筒部１２下端に内向きフランジ１３を付設して、その後部に開口１４を形成する。
【００１３】
この内向きフランジ１３内周から後面および上面開放の樋状注出部１５を、キャップ嵌合筒１０よりも高く起立する。
さらに、鍔状頂壁９外周から垂下して、保持筒７上部を囲成する囲成筒１６前部の下端部外面から支持片１７を突設し、この支持片１７に、囲成筒１６前方から下方へ垂下する操作レバー１８を吊持ちさせる。
【００１４】
操作レバー１８は支持片１７より上方部分を操作部１９に形成すると共に、下方部分から第２係合突部２０を後方突設し、この第２係合突部２０上面を第１係合突部８ｂ下面へ係合させる。
一方、請求項２記載のように、囲成筒１６後部の下端部を肉薄ヒンジ２１を介して起立板５ａ上端部に連結する。
この起立板５ａは省略することも可能で、この場合には囲成筒１６を直接外周壁５の後部上端へ連結する。
なお、囲成筒１６内面に複数の第４係合突条を縦設して、これら第４係合突条を第２係合突条８ｃへ係合させる。
【００１５】
Ｄは計量カップで、吊持ち筒部１２の下端部内面へ、頂板２２外周から垂設した周壁２３の下端部外面を水密に嵌合させる。
この周壁２３の上下方向中間部に付設した外向きフランジ２４をキャップ嵌合筒１０上端へ載置させ、かつこの外向きフランジ２４外周から垂下した外筒２５内面に形成した雌ねじをキャップ嵌合筒１０外面の雄ねじへ螺合させる。
さらに、図示のように、外向きフランジ２４下面から短筒２６を垂下して、該短筒をキャップ嵌合筒１０の上端部内面へ水密に嵌合させる。
なお、通常、周壁２３に計量用の目盛を付する。
【００１６】
次に、本実施形態の作用について説明する。
容器体Ａ内の洗剤等の液体を計量注出するには、計量カップＤをキャップ嵌合筒１０から螺脱させて容器体Ａを前方（図面において左方）へ傾ければよく、すると容器体内の液体が樋状注出部１５から計量カップＤ内へ注出される。
計量カップＤ内の液体を他の容器等に移すと、少量の液体が計量カップＤ上端から周壁２３外面をつたって流れ落ちることがあるが、これは周壁２３と短筒２６との間に形成した液溜部２７に貯留するため、計量カップＤから流れ落ちて床等に付着することがない。
【００１７】
詰替え容器２８の液体を容器体Ａに詰め替えるには、計量カップＤをキャップ嵌合筒１０へ螺合させた状態で操作レバー１８の操作部１９を後方へ押して、第２係合突部２０を第１係合突部８ｂから後方へ離脱させた後、注出部材Ｃを後方へ回動させ、次いで図２に示すように、詰替え容器２８の注出口２９を保持筒７上面へ近接させればよい
【００１８】
詰替え後、注出部材Ｃを装着筒Ｂへ装着させるには、注出部材Ｃを前方へ回動させればよく、すると第２係合突部２０後面が第１係合突部８ｂ前端部へ係合して、第２係合突部２０が前方へ弾性変形することにより第１係合突部８ｂを乗り越えて第１係合突部８ｂ下面へ係合する。
なお、計量注出後、計量カップＤをキャップ嵌合筒１０へ螺合させる際に、液溜部２７に貯留した液体は吊持ち筒部１２内に落下して容器体Ａ内に流入する。
【００１９】
図３及び図４は本発明に係る液体注出容器の第２の実施形態を示す。本実施形態と第１の実施形態とは、注出時における注出部材Ｃの回動防止手段において異なる。
すなわち、図３に示すように、外周壁５前部の上下方向中間部から、前端部を球形状に形成した係合ピン３０を前方突設すると共に、囲成筒１６前部の下端部外面から後方へ湾曲した円弧状の弾性操作板３１を、外周壁５よりも下方へ長く垂設し、かつその下端部を摘み部３２に形成し、さらに弾性操作板３１の上下方向中間部に係合ピン挿通孔３３を穿設して、この挿通孔３３に係合ピン３０を挿通させる。
【００２０】
詰替え時には、弾性操作板３１を前方へ引いて係合ピン挿通孔３３から係合ピン３０を離脱させて、注出部材Ｃを後方へ回動させる。
なお、本実施形態では、第１の実施形態で採用した起立板５ａと係合部材８ととを省略して、外周壁５後部を直接肉薄ヒンジ２１に連結させる。
また、第２係合突条８ｃは保持筒７に形成する。
【００２１】
【発明の効果】
請求項１及び２記載の発明に係る液体注出容器、肉薄ヒンジを介して注出部材後部を装着筒後部へ連結すると共に、保持筒前部に設けた第１係合突部へ係合させる第２係合突部を操作レバーに形成したので、詰替え容器から容器体への詰替え時に、注出部材を回動させて樋状注出部を容器体口頸部の後方へ容易に位置させることができる。
【００２２】
請求項３記載の発明に係る液体注出容器は、肉薄ヒンジを介して注出部材後部を装着筒後部へ連結すると共に、外周壁前部から突設した係合ピンを、囲成筒前部から垂設する弾性操作板の係合ピン挿通孔へ挿通させたので、詰替え時に、注出部材を回動させて樋状注出部を容器体口頸部の後方へ容易に位置させることができる。
【図面の簡単な説明】
【図１】本発明に係る液体注出容器の第１の実施形態を示す断面図。
【図２】同じく、注出部材を後方へ回動させて詰替えを行う際の作用説明図。
【図３】本発明に係る液体注出容器の第２の実施形態を示す断面図。
【図４】同じく、注出部材を後方へ回動させて詰替えを行う際の作用説明図。
【符号の説明】
２  口頸部
３  嵌合突条
５  外周壁
５ａ  起立板
６  内向きフランジ状頂壁
７  保持筒
７ａ  内周壁
８  係合部材
８ａ  嵌合筒
８ｂ  第１係合突部
９  鍔状頂壁
１０  キャップ嵌合筒
１１  下端面
１２  吊持ち筒部
１３  内向きフランジ
１４  開口
１５  樋状注出部
１６  囲成筒
１７  支持片
１８  操作レバー
１９  操作部
２０  第２係合突部
２１  肉薄ヒンジ
２２  頂板
２３  周壁
２４  外向きフランジ
２５  外筒
３０  係合ピン
３１  弾性操作板
３３  係合ピン挿通孔
Ａ  容器体
Ｂ  装着筒
Ｃ  注出部材
Ｄ  計量カップ
【図１】
0003928759.tif 000002
【図２】
0003928759.tif 000003
【図３】
0003928759.tif 000004
【図４】
0003928759.tif 000005